(57)【特許請求の範囲】
【請求項１】
周囲に複数の突出片を備え、該突出片の回転方向先部に切れ刃が設けられた草刈機用回転刃において、
前記突出片の回転方向先部を斜め下方に向け、しかも、前記切れ刃の刃先は下方傾斜した前記回転方向先部の上表面と該回転方向先部の下向き傾斜面との交線によって形成され、更に、前記突出片の回転方向先部の下表面と前記下向き傾斜面との交線によって接地部が形成されることを特徴とする草刈機用回転刃。
【請求項２】
前記突出片の回転方向先部は屈曲し、水平面に対して１〜４５度の範囲で傾斜している請求項１記載の草刈機用回転刃。
【請求項３】
前記突出片の切れ刃の基部には切欠きが設けられている請求項１及び２のいずれか１項に記載の草刈機用回転刃。
【発明の詳細な説明】
【０００１】
【発明の属する技術分野】
本発明は、エンジンやモータを駆動源とする草刈機に使用する回転刃に関する。
【０００２】
【従来の技術】
実開昭６３−５５８１３号公報に記載のように、複数の切れ刃を備えた回転刃を、エンジン等によって回転駆動する草刈機が知られている。この草刈機に使用する草刈機用回転刃５０を図３、図４に示すが、全体が平面状となった厚みＴが約１．４ｍｍ程度の硬質の板からなって、周囲に複数の突出片５１を備え、それぞれの突出片５１の回転方向先部に切れ刃５２が形成されている。そして、切れ刃５２が切れなくなった場合には、この草刈機用回転刃５０を裏返して、突出片５１の他方側に形成された切れ刃５３を使用できるようになっているのが一般的である。なお、５４は取付け孔である。
【０００３】
【発明が解決しようとする課題】
しかしながら、前記従来例に係る草刈機用回転刃５０においては、以下のような問題があった。
（１）使用時の切れ刃５２、５３の先端が上を向いて、しかも、切れ刃５２、５３の下側に下向き傾斜面５５を有しているので、草刈機用回転刃５０の回転によって発生する風が相対的に下向きになって、刈ろうとする草を押さえ込み、結果として草への食い込みが悪い。また、地面すれすれに草を刈ることが困難である。
（２）切れ刃５２、５３が潰れてすぐ切れなくなる。
（３）切れ刃５２、５３の切れ味が悪いので、結果として動力消費が大きい。
本発明はかかる事情に鑑みてなされたもので、草への食い込みが良く、しかも動力消費の少ない草刈機用回転刃を提供することを目的とする。
【０００４】
【課題を解決するための手段】
前記目的に沿う請求項１記載の草刈機用回転刃は、周囲に複数の突出片を備え、該突出片の回転方向先部に切れ刃が設けられた草刈機用回転刃において、前記突出片の回転方向先部を斜め下方に向け、しかも、前記切れ刃の刃先は下方傾斜した前記回転方向先部の上表面と該回転方向先部の下向き傾斜面との交線によって形成され、更に、前記突出片の回転方向先部の下表面と前記下向き傾斜面との交線によって接地部が形成されている。ここで、突出片の回転方向先部を斜め下方に向けているとは、突出片の回転方向先部を屈曲させて斜め下方に向ける場合の他、突出片全体を傾斜させて回転方向先部を斜め下方に向ける場合も含む。
請求項２記載の草刈機用回転刃は、請求項１記載の草刈機用回転刃において、前記突出片の回転方向先部は屈曲し、水平面に対して１〜４５度の範囲で傾斜している。
請求項３記載の草刈機用回転刃は、請求項１及び２のいずれか１項に記載の草刈機用回転刃において、前記突出片の切れ刃の基部には切欠きが設けられている。
【０００５】
請求項１〜３記載の草刈機用回転刃は、切れ刃が形成されている突出片の回転方向先部を斜め下方に向けているので、回転によって上昇気流が発生し、刈り込もうとする草を立てようとする。
特に、請求項３記載の草刈機用回転刃においては、突出片の切れ刃の基部には切欠きが設けられているので、この部分に草を誘い込むようにして切ることができる。
【０００６】
【発明の実施の形態】
続いて、添付した図面を参照しつつ、本発明を具体化した実施の形態につき説明し、本発明の理解に供する。
ここに、図１は本発明の一実施の形態に草刈機用回転刃の平面図、図２は図１における矢視Ａ−Ａ断面図である。
【０００７】
図１、図２に示すように、本発明の一実施の形態に係る草刈機用回転刃１０は厚みｔが１．４ｍｍの炭素鋼又は工具鋼等の硬い金属板又は硬質合成樹脂からなって、円板状の本体１１の周囲に複数の突出片１２が設けられている。この突出片１２の両側には切れ刃１３、１４が形成されているが、草刈機用回転刃１０は通常平面的に見て反時計方向、即ち図１の矢印方向に回転させるので、突出片１２の回転方向先部１５に切れ刃１３が形成されている。また、この草刈機用回転刃１０を裏返して使用する場合には、突出片１２の他方側に切れ刃１４が形成されていることになる。
【０００８】
前記切れ刃１３（切れ刃１４も同様）は、突出片１２の回転方向先部１５を斜め傾斜して形成されている。この回転方向先部１５の上表面１６の幅ｗは３〜６ｍｍ程度が好ましく、上表面１６の幅ｗがこの程度であれば、斜め傾斜した回転方向先部１５の傾斜角度θ1 は３〜２５度程度である。なお、傾斜角度θ1 は上表面１６の幅ｗが長ければもっと傾斜角度を小さくでき、上表面１６の幅ｗが短ければ傾斜角度θ1 を大きくとることができ、１〜４５度の範囲で適当に選択することになる。この角度が余り小さければ草刈機用回転刃１０の回転に伴う上昇流が発生しないし、大きければ切れ刃１３が下方に突出して欠け易く、更には危険である。
【０００９】
前記切れ刃１３の刃先１７は、上表面１６と下向き傾斜面１８との交線によって形成され、刃先角度θ2 はこの実施の形態では３５度になっているが、鋭角であれば２０〜５０度の範囲であれば他の角度であってもよい。また、切れ刃１３の刃先１７は鋭利である必要はなく、適当に刃潰しが行われている方が刃こぼれが少なく、取扱いも安全である。
そして、回転方向先部１５の下表面１９と下向き傾斜面１８との交線によって接地部２０が形成されている。この接地部２０の本体１１の裏面に対する高さｈは約０．８〜２ｍｍ程度となっている。この高さｈが余り大きいと切れ刃１３が下方に突出しすぎて危険があり、余り小さいと回転方向先部１５を斜め下方に屈曲させた効果が小さい。
【００１０】
前記切れ刃１３、１４の根元部分、即ち突出片１２の基端部には円弧状の切欠き２１、２２がそれぞれ形成されている。この切欠き２１、２２の深さは回転方向先部１５の幅ｗより少し長い程度、例えば６〜８ｍｍ程度あれば十分である。これによって、刈り込もうとする草をこの切欠き２１、２２に引き込んで切り取ることができると共に、切れ刃１３、１４の境界部分が明確となるので、刃研ぎが行い易い。
前記本体１１の中央には取付け孔２３が形成されて、草刈機本体の回転軸に取付けられるようになっている。
【００１１】
従って、この草刈機用回転刃１０を草刈機本体に取付けして使用すると、回転方向先部１５が下り傾斜しているので、回転によって上昇気流が発生し、これによって、草が上方に引き上げられるようになって、切れ刃１３によって切断される。また、刃元の切欠きが下向きのため、刈ろうとする草を呼びこみキャッチングするので、刈り残しが少ない。そして、切れ刃１３の刃先１７は本体１１の上表面から下方に位置しているので、草に対する噛み付きが良くなる。また、下向き傾斜面１８の角度もより水平に近くなるので、刈り込もうとする草の上を押圧する度合いが減少し、更に刃先１７も草のより下部位置を切断するので、より効率的に刈り込みに寄与する。
実験によれば、同一の草刈機を使用してこの草刈機用回転刃１０を使用すると、従来の草刈機用回転刃に比較してき、動力が約半分で済むという利点があった。
そして、使用によって切れ刃１３が損耗した場合は、草刈機用回転刃１０を裏返せば切れ刃１４を使用して草刈りを行うことができ、この場合、切れ刃１３の使用中には、切れ刃１４は上に向かって傾斜しているので、従来の草刈機用回転刃に比較して切れ刃１４のダメージが少ない。
【００１２】
前記実施の形態は、４個の突出片を有する草刈機用回転刃１０について説明したが、その他の複数の突出片を備えた草刈機用回転刃であってもよいし、更には一方向にのみ切れ刃を有する草刈機用回転刃であっても本発明は適用される。
なお、前記実施の形態においては、突出片の回転方向先部を斜め下方に屈曲して刃先を斜め下方に向けて位置させたが、本体に対して突出片全体を斜め（例えば０．２〜３度あるいはそれ以上）に傾斜させて回転方向先部を斜め下方に向けることもできる。この場合には、突出片は扇風機の羽根のような作用もするので、より大きな風が発生する。
【００１３】
【発明の効果】
請求項１〜３記載の草刈機用回転刃は、切れ刃が形成されている突出片の回転方向先部を斜め下方に屈曲させているので、回転によって上昇気流が発生し、これによって草が立ち、より切り易くなる。
従って、この草刈機用回転刃を使用すると、従来の草刈機用回転刃に比較して回転動力が減少し、省エネとなる。
請求項３記載の草刈機用回転刃においては、突出片の切れ刃の基部には切欠きが設けられているので、この部分に草を誘いこむようにして切ることができると共に、切れ刃を研ぎ易いという利点がある。
【図面の簡単な説明】
【図１】本発明の一実施の形態に係る草刈機用回転刃の平面図である。
【図２】図１における矢視Ａ−Ａ断面図である。
【図３】従来例に係る草刈機用回転刃の平面図である。
【図４】図３における矢視Ｂ−Ｂ断面図である。
【符号の説明】
１０  草刈機用回転刃                  １１  本体
１２  突出片                          １３  切れ刃
１４  切れ刃                          １５  回転方向先部
１６  上表面                          １７  刃先
１８  下向き傾斜面                    １９  下表面
２０  接地部                          ２１  切欠き
２２  切欠き                          ２３  取付け孔
【図１】
0003762484.tif 000002
【図２】
0003762484.tif 000003
【図３】
0003762484.tif 000004
【図４】
0003762484.tif 000005